(57)【要約】      （修正有）【課題】爪部がグリップと共に丸棒状工作物を抑えつけ、グリップを回転させる際に一方の回転方向に工作物が連動されて同期で回転し、他方の回転方向には工作物が連動して回転することはなく、使用が便利で構造が簡単な丸棒状工作物回転用レンチを提供する。【解決手段】一端に壁部１３が設けられるグリップ１を備える。グリップには枢着部１４が設けられ、枢着部を介して一端にあご部２１を有する爪部２が枢設される。あご部は丸棒状工作物３を挟持するための挟持面２２を有する。爪部が回転方向Ｒに沿って枢動することで、あご部が丸棒状工作物をグリップの壁部に挟持させる。挟持面及び壁部は円弧状にそれぞれ形成され、挟持面の中点Ｐ３及び枢着部を通過する線を第一参照線Ｌ１、挟持面の中点及び壁部の曲率中心Ｐ４を通過する線を第二参照線Ｌ２と定義した時、第二参照線は前述の回転方向上で第一参照線に傾斜角度θをつけて後に位置する。【選択図】図３
0003219945.tif 000002
【実用新案登録請求の範囲】
【請求項１】
一端に壁部が設けられるグリップを備え、前記グリップには枢着部が設けられ、前記枢着部を介して一端にあご部を有する爪部が枢設され、前記あご部は丸棒状工作物を挟持するための挟持面を有し、前記爪部がばねに押されて回転方向に沿って枢動することで、前記あご部が作業位置まで移動され、且つ所定の規格の丸棒状工作物が前記グリップの壁部に挟持される丸棒状工作物回転用レンチであって、
前記挟持面及び前記壁部には円弧状がそれぞれ形成され、前記挟持面の中点及び前記枢着部を通過させる仮想の第一参照線、及び前記挟持面の中点及び前記壁部の曲率中心を通過させる仮想の第二参照線が定義され、前記第二参照線は前記回転方向上で前記第一参照線に傾斜角度をつけて後に位置することを特徴とする丸棒状工作物回転用レンチ。
【請求項２】
前記傾斜角度は約５度であることを特徴とする請求項１に記載の丸棒状工作物回転用レンチ。
【請求項３】
前記挟持面は２つの接触点が丸棒状工作物に当接され、前記挟持面は前述の２つの接触点に形成される仮想の正接の間が４５度の角度で離されることを特徴とする請求項１に記載の丸棒状工作物回転用レンチ。
【請求項４】
前記グリップは相互に枢着されて互いに垂直になるように枢動される上段及び下段を備えることを特徴とする請求項１に記載の丸棒状工作物回転用レンチ。
【請求項５】
前記挟持面及び前記壁部には滑り止め模様が設けられないことを特徴とする請求項１に記載の丸棒状工作物回転用レンチ。
【考案の詳細な説明】
【技術分野】
【０００１】
本考案は、手動工具に関し、更に詳しくは、丸棒状工作物回転用レンチに関する。
【背景技術】
【０００２】
ネジを固定ネジスリーブに締緩する作業において、通常はペンチを手で持ってネジを挟み、腕を回すことでペンチがネジを回転させ、ネジスリーブに締緩させる。
【考案の概要】
【考案が解決しようとする課題】
【０００３】
しかしながら、人の腕は回せる範囲に限界があり、１回の回転幅は大きくなく、且つ１回回転させた後にはネジを離し、腕を逆回転させて再度ネジを回転させねばならないため、時間と体力を消耗するという欠点があるほか、腕に怪我をする恐れもあった。
【０００４】
なお、図８は操作が便利な従来の手動工具を示し、そのグリップ５の一端には収容溝５１が設けられ、前記収容溝５１には貫通孔５２１を有する環状台座５２が収容される。前記貫通孔５２１の孔径はネジ６の外径より大きい。この環状台座５２の周辺には３つのローラー５３が設置され、前記グリップ５はカバー５４及びＣ形バックル５５が前記収容溝５１に固定されることで前記収容溝５１が封鎖され、環状台座５２が抜け落ちるのを回避させる。作業員はネジ６を収容溝５１に挿入させると共に環状台座５２の貫通孔５２１を貫通させ、ネジ６を環状台座５２中に斜めに螺入させ、３つのローラー５３によりネジ６を挟持させるだけで、グリップ５を操作して連続回転させてネジ６の回転の制御することが可能となる。
【０００５】
しかしながら、図９に示されるように、ネジ６の先端が固定板６１に螺入されると、前記固定板６１により前記ネジ６が前段６１１及び後段６１２に隔てられる。このため、上述の従来の手動工具は環状構造のために前記後段６１２の箇所からのみ螺入可能となり、前記固定板６１を超えて前記前段６１１に被せる操作は行えず、このような状況には使用不能となった。また、上述の従来の手動工具は部材点数が多く、構造が複雑であり、装設に時間がかかり、全体的な製造コストが高いという欠点が存在した。
【０００６】
本考案は、このような従来の問題に鑑みてなされたものである。上記課題解決のため、本考案は、丸棒状工作物回転用レンチを提供することを主目的とする。すなわち、爪部がグリップに簡単に枢設され、且つグリップと共に丸棒状工作物を抑えつけ、グリップを回転させる際に一方の回転方向に工作物が連動されて同期で回転し、他方の回転方向には工作物が連動して回転することはなく、使用が便利になる効果、及び構造が簡単で製造コストが低下する効果を有する。
【課題を解決するための手段】
【０００７】
上記課題を解決するために、本考案のある態様の丸棒状工作物回転用レンチは、一端に壁部が設けられるグリップを備える。前記グリップには枢着部が設けられ、且つ前記枢着部を介して一端にあご部を有する爪部が枢設され、前記あご部は丸棒状工作物を挟持するための挟持面を有する。前記爪部がばねに押されて回転方向に沿って枢動することで、前記あご部が作業位置まで移動され、所定の規格の丸棒状工作物が前記グリップの壁部に挟持される。
前記挟持面及び前記壁部には円弧状がそれぞれ形成され、前記挟持面の中点及び前記枢着部を通過させる仮想の第一参照線、及び前記挟持面の中点及び前記壁部の曲率中心を通過させる仮想の第二参照線が定義され、前記第二参照線は前記回転方向上で前記第一参照線に傾斜角度をつけて後に位置する。
【０００８】
本考案の好適例において、前記傾斜角度は約５度である。前記挟持面は２つの接触点が丸棒状工作物に当接され、前記挟持面は前述の２つの接触点に形成される仮想の正接の間が４５度の角度で離される。
【０００９】
本考案の好適例において、前記グリップは相互に枢着されて互いに垂直になるように枢動される上段及び下段を備える。
【図面の簡単な説明】
【００１０】
【図１】本考案に係る丸棒状工作物回転用レンチを説明する傾斜の分解図である。
【図２】本考案に係る丸棒状工作物回転用レンチを説明する平面の概略図である。
【図３】本考案に係る丸棒状工作物回転用レンチを説明する重要部分の概略図である。
【図４】本考案の使用状態を示す概略図である。
【図５】本考案のレンチによりネジが制御される作動原理を示す概略図である。
【図６】本考案のレンチによりネジが制御される作動原理を示す概略図である。
【図７】本考案の使用状態を示す概略図である。
【図８】従来の構成を示す傾斜の分解図である。
【図９】従来の構成の使用状態を示す概略図である。
【考案を実施するための形態】
【００１１】
以下、本開示の実施形態について図面を用いて説明する。なお、本開示は、下記の実施形態に何ら限定されることはなく、本開示の技術的範囲に属する限り種々の形態を採りうる。
【００１２】
本考案の丸棒状工作物回転用レンチは、本明細書においてはネジを前述の丸棒状工作物の例として説明する（図１及び図２参照）。前記レンチは、上段１１及び下段１２が枢着されることで構成されるグリップ１を備える。これにより、需要に応じて両者を枢動させ、前記グリップ１に図４に示されるような垂直折曲状を形成させ、使用者が人間工学に適合する姿勢で操作可能にし、使用上の利便性を向上させる。
【００１３】
前述の前記グリップ１の下段１２は使用者が手で持つためのものであり、上段１１は上端に壁部１３が形成される。本考案では、前記壁部１３は円弧面であり、図３に示されるように対応する曲率中心Ｐ４を有する。前記上段１１に枢着部１４が設けられることにより爪部２が枢設され、前記爪部２の一端にはあご部２１を有し、且つ前記あご部２１はネジを挟持するための挟持面２２を有する。前記挟持面２２は円弧面である。前記枢着部１４にはばね１５が覆設され、その両端は前記上段１１及び前記爪部２にそれぞれ当接される。前記ばね１５が常態では前記爪部２を押して回転方向Ｒに沿わせて前記上段１１に対して枢動させる。前述の前記回転方向Ｒは図２に示される視角では反時計回り方向になる。
【００１４】
前述の前記グリップ１及び前記爪部２の構造のサイズは、前記レンチが適用される予定の丸棒状工作物の直径の規格に対応する。これにより、前記あご部２１が前記爪部２に追従して枢動して図３に示される作業位置まで移動し、その挟持面２２によりネジ３が前記グリップ１の壁部１３に挟持される。
【００１５】
前述の前記挟持面２２の形状の特徴は前記あご部２１の作業位置に示される。前記挟持面２２はその弧面上にある２つの接触点Ｐ１、Ｐ２によりネジ３を当接させ、この２つの接触点Ｐ１、Ｐ２を通る弧面上にある正接Ｔ１、Ｔ２の間の挟角は４５度となる。これにより、前記あご部２１がネジ３に適切に挟持され、回転を阻害する過大な摩擦抵抗が生じなくなる。
【００１６】
前述の前記壁部１３の形状の特徴も前記あご部２１の作業位置に示される。図３に示されるように、仮想の第一参照線Ｌ１及び第二参照線Ｌ２が定義される。前記第一参照線Ｌ１は前記挟持面２２の中点Ｐ３及び前記枢着部１４の接続線であり、前記第二参照線Ｌ２は前記挟持面２２の中点Ｐ３及び前記壁部１３の曲率中心Ｐ４の接続線であり、前記第二参照線Ｌ２は前記回転方向Ｒ上で前記第一参照線Ｌ１に傾斜角度θをつけて後に位置し、こうして前記壁部１３の弧面形状が形成される。本実施形態において、前述の傾斜角度θは約５度である。
【００１７】
本考案のレンチは前記爪部２によりネジ３が前記グリップ１に押さえつけられた後、図４に示されるように手でグリップ１を持って回転させることで、ネジ３の回転が制御される。前記グリップ１の壁部１３の形状のため、使用者は前記爪部２及び前記グリップ１を使用して図３に示されるような状態でネジ３を挟持させ、且つグリップ１を時計回り方向に回転させると、前記あご部２１によりネジ３が前記壁部１３に緊締され、ネジ３が連動されて同期で回転する。反対に、使用者がグリップ１を反時計回り方向に回転させると、前記あご部２１によりネジ３が緩められ、この際にグリップ１が空転し、ネジ３が連動されて回転することがなく、こうして簡単に操作可能になる。
【００１８】
図５及び６は前述のレンチによりネジが制御される作動原理を示す。前記グリップが時計回り方向または反時計回り方向に対応するネジ３を回転させる場合、その回転の変移はネジ３が水平面４１に沿って水平に変移することに相当し、前記グリップの弧状壁部がネジ３上で移動する過程は傾斜面４２に相当し、この傾斜面４２を水平面４１と比較した場合の斜度が前述の前記第一参照線と前記第二参照線との間の挟角となる。前記爪部によりネジが前記壁部上に押さえつけられるが、ネジが圧迫されて変形することはなく、使用者がグリップを時計回り方向に回転させると、図５に示されるように、ネジ３が水平面４１に沿って左に移動することに相当し、前記傾斜面４２では上り坂に相当し、よって、前記壁部に緊締され、極めて大きな摩擦抵抗を発生させてレンチと同期で回転する。本考案のレンチは前述の作動原理において、前記挟持面及び前記壁部には滑り止め模様が設けられずとも、ネジが安定的に挟持されてその回転が制御される。
【００１９】
反対に、使用者がグリップを反時計回り方向に回転させると、図６に示されるように、ネジ３が水平面４１に沿って右に移動することに相当し、且つ前記傾斜面４２では下り坂に相当し、前記爪部及び前記壁部がネジ３に対して圧力をかけず、よって、ネジ３がレンチから緩められて、レンチにより制御されて回転することがなくなる。
【００２０】
さらに、図７に示されるように、ネジ３が固定板３１により固定されて前段３１１及び後段３１２に隔てられると、本考案のレンチは前記爪部２により前記後段３１２を押さえつけて操作可能にするほか、爪部２がグリップ１に枢設されることで開閉動作を達成させる特性により、爪部２を前記固定板３１を超えて前記前段３１１に挟持させて直接操作可能となり、これにより、使用上の利便性が向上する。
【００２１】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２２】
１  グリップ
２  爪部
３  ネジ
５  グリップ
６  ネジ
１１  上段
１２下段
１３  壁部
１４  枢着部
１５  ばね
２１  あご部
２２  挟持面
３１  固定板
３１１  前段
３１２  後段
５１  収容溝
５２  環状台座
５２１  貫通孔
５３  ローラー
５４  カバー
５５  Ｃ形バックル
６１  固定板
６１１  前段
６１２  後段
４１  水平面
４２  傾斜面
Ｌ１  第一参照線
Ｌ２  第二参照線
Ｐ１  接触点
Ｐ２  接触点
Ｐ３  中点
Ｐ４  曲率中心
Ｒ  回転方向
Ｔ１  正接
Ｔ２  正接
θ  傾斜角度
【図１】
0003219945.tif 000003
【図２】
0003219945.tif 000004
【図３】
0003219945.tif 000005
【図４】
0003219945.tif 000006
【図５】
0003219945.tif 000007
【図６】
0003219945.tif 000008
【図７】
0003219945.tif 000009
【図８】
0003219945.tif 000010
【図９】
0003219945.tif 000011